(57)【要約】【課題】ボルト等に挿入する座金を横から挿入できるようにすると共に、締付けが緩んだ時に脱落しない座金及び座金の挿入装着方法を提供する。【解決手段】座金１の挿入穴２から外径部へスリット幅Ｗ１で縦に切り抜くと共に、挿入穴２から左右横方向に外径部へ貫くことなくスリット幅Ｗ２，Ｗ２で切り抜き、該切り抜いた延出端から前記スリット幅Ｗ１で縦に切り抜いた線に沿って底部を屈曲可能とするスリット溝３，３を設けて開閉片４，４が形成されてなる開閉片付き座金で、開閉片４，４を開閉させてボルト等に横から挿入装着する。【選択図】図１
2006316831.tif 000002
【特許請求の範囲】
【請求項１】
座金の挿入穴から外径部へ切り抜き、切り抜いた線に沿って左右にスリット溝を設け、該スリット溝の底部を屈曲可能とする開閉片を設けてなることを特徴とする開閉片付き座金。
【請求項２】
座金の挿入穴から外径部へスリット状に縦に切り抜くと共に、挿入穴から左右横方向に外径部へ貫くことなく延出させてスリット状に切り抜き、該切り抜いた延出端から前記縦に切り抜いた線に沿って底部を屈曲可能とするスリット溝を設けてなることを特徴とする請求項１記載の開閉片付き座金。
【請求項３】
底部を屈曲可能とするスリット溝は、座金の挿入穴から外径部へ切り抜いた線に沿って斜めに設けられていることを特徴とする請求項１又は請求項２記載の開閉片付き座金。
【請求項４】
座金の挿入穴から外径部へ切り抜いた切抜端部を円弧状に凹ませて、挿入ガイド部が設けられていることを特徴とする請求項１乃至請求項３のいずれか１項に記載の開閉片付き座金。
【請求項５】
座金の挿入穴が、ネジを加工したネジ穴であることを特徴とする請求項１乃至請求項４のいずれか１項に記載の開閉片付き座金。
【請求項６】
座金の挿入穴から外径部へ切り抜いて左右両側に屈曲可能な開閉片を設け、該開閉片を開閉させて横から着脱自在に挿入して装着することを特徴とする座金の挿入装着方法。
【請求項７】
座金の挿入穴を、ネジを加工したネジ穴にして装着することを特徴とする請求項６記載の座金の挿入装着方法。
【発明の詳細な説明】
【技術分野】
【０００１】
本発明は、横から着脱自在に挿入できると共に、ずれたり、脱落することなく安定して装着されるようにした開閉片付き座金及び座金の挿入装着方法に関する。
【背景技術】
【０００２】
ボルト等にナットを螺合させて種々の部品を取付けるに際しては、部品とナットとの間に座金（ワッシャー）を介在させてナットを締め付けるのが一般的となっているが、座金を介在させるのをうっかり忘れてナットを締め付けることが多く、そのためにナットをボルトから取り外して座金を挿入しなければならなく、甚だ面倒で手間を要するものである。
【０００３】
又、従来より座金（ワッシャー）等の挿入穴を外径部へＵ字状に切り抜いて横から挿入、装着を可能とする技術思想は周知されている。（例えば特許文献１，特許文献２の図面参照）
【特許文献１】特開２００２−１６２０９６号公報
【特許文献２】実開平６−３９２２０号公報
【発明の開示】
【発明が解決しようとする課題】
【０００４】
しかしながら、上記従来より周知されている技術では、機械の振動等で、ナットが緩んだりすると、座金の挿入穴が外径部へＵ字状に切り抜いただけであるがため、ボルトからずれたり、脱落しやすく、座金の装着が不安定になる問題点がある。
従って、本発明はこのような問題点に鑑み、横から着脱自在に挿入できるようにすると共に、ナットが緩んだりしてもボルトからずれたり、脱落することなく安定して装着し得る開閉片付き座金及び座金の挿入装着方法を提供することを課題とするものである。
【課題を解決するための手段】
【０００５】
上記課題を達成するため、本発明は以下に記載するような手段を講じてなる開閉片付き座金及び座金の挿入装着方法とするものである。
すなわち、
（１）座金の挿入穴から外径部へ切り抜き、切り抜いた線に沿って左右にスリット溝を設け、該スリット溝の底を屈曲可能とする開閉片を設けてなることを特徴とする開閉片付き座金。
（２）座金の挿入穴から外径部へスリット状に縦に切り抜くと共に、挿入穴から左右横方向に外径部へ貫くことなく延出させてスリット状に切り抜き、該切り抜いた延出端から前記縦に切り抜いた線に沿って底部を屈曲可能とするスリット溝を設けてなることを特徴とする前項（１）記載の開閉片付き座金。
（３）底部を屈曲可能とするスリット溝は、座金の挿入穴から外径部へ切り抜いた線に沿って斜めに設けられていることを特徴とする前項（１）又は（２）記載の開閉片付き座金。
（４）座金の挿入穴から外径部へ切り抜いた切抜端部を円弧状に凹ませて、挿入ガイド部が設けられていることを特徴とする前項（１）〜（３）のいずれか１項に記載の開閉片付き座金。
（５）座金の挿入穴が、ネジを加工したネジ穴であることを特徴とする前項（１）〜（４）のいずれか１項に記載の開閉片付き座金であり、
（６）座金の挿入穴から外径部へ切り抜いて左右両側に屈曲可能な開閉片を設け、該開閉片を開閉させて横から着脱自在に挿入して装着することを特徴とする座金の挿入装着方法。
（７）座金の挿入穴を、ネジを加工したネジ穴にして装着することを特徴とする前項（６）記載の座金の装着方法である。
【発明の効果】
【０００６】
上記手段にて記載するように、本発明によれば、座金の挿入穴から外径部へ切り抜いて左右両側に設けた屈曲可能な開閉片を開閉させることにより、横から着脱自在にボルト等に挿入装着ができ、うっかり座金の装着を忘れてもナットをボルト等から取外すことなく行えて、手間を要しない。
【０００７】
又、ナットを締め付けることにより、開閉片が閉じられ、ナットが緩んでも開閉片の内側がボルト等の外径部に係合した状態で保持されるので、ずれたり、脱落することなく安定した状態で装着され、更に、座金の挿入穴を、ネジを加工したネジ穴にすることにより、座金にナットの機能をもたせることができ、締め付けたナットが緩んでも座金により押え付けられた状態が保持できる。
【発明を実施するための最良の形態】
【０００８】
本発明を実施するための最良の形態は、座金の挿入穴から外径部へスリット状に縦に切り抜くと共に、挿入穴から左右横方向に外形部へ貫くことなく延出させてスリット状に切り抜き、該切り抜いた延出端から前記スリット状に縦に切り抜いた線に沿って底部を屈曲可能とするスリット溝を設けて開閉片が形成される開閉片付き座金であり、該開閉片をスリット溝の底部で屈曲させることにより開閉してボルト等に横から挿入装着するようにしたものである。以下実施例にて図面に基づき説明する。
【実施例１】
【０００９】
図１は、本発明の実施例を示す平面図である。実施例では一般的に使用されている外形が丸形の座金（ワッシャー）にて図示されているが、角形の座金（ワッシャー）であっても良く、限定するものではない。
【００１０】
図１にて図示するように、座金１の挿入穴２から外径部へスリット幅Ｗ１で縦に切り抜かれ、又挿入穴２からは左右横方向に外径部へ貫くことなくスリット幅Ｗ２，Ｗ２で延出させて切り抜かれており、該切り抜かれたスリット幅Ｗ２，Ｗ２の延出端からは前記縦に切り抜かれたスリット幅Ｗ１の線に沿って若干内側へ斜めにスリット幅Ｗ３，Ｗ３のスリット溝３，３が設けられている。
【００１１】
スリット溝３，３は、図２の（ａ）に示すように、底部が屈曲可能な０．１〜０．３ｍｍ程度の厚みｔ，ｔにして、開閉片４，４が設けてあり、開閉片４，４を図２の（ｂ）に示すように矢印の方向へ曲げることにより開くようにしてある。開閉片４，４が開いた状態の開き口の大きさは挿入しようとするボルトの直径より若干大きくなるようにする。
【００１２】
又、座金１の挿入穴２からスリット幅Ｗ１で切り抜いた切抜端部は、円弧状に凹ませた挿入ガイド部５が設けてあり、ボルト等に着脱自在に挿入する時に開閉片４，４でガイドされてスムーズに挿入できるようにしてある。
【００１３】
なお、本実施例では、挿入穴２から左右横方向に外径部へ貫くことなくスリット幅Ｗ２，Ｗ２で延出させて切り抜かれているが、左右横方向に切り抜くことなく挿入穴２の左右端から縦に切り抜かれたスリット幅Ｗ１の線に沿って若干外側へ斜めにスリット幅Ｗ３，Ｗ３のスリット溝（図示せず）を設けても目的を達成することは可能であり、座金の挿入穴２をネジを加工したネジ穴（図示せず）にすれば、開閉片４，４を閉じることにより座金１にナットの機能をもたせることもできる。
この場合、座金１の厚みはネジを加工するため少し厚めにするのが良い。
【００１４】
又、本実施例では、スリット溝３，３の底部を０．１〜０．３ｍｍの厚みにして開閉片４，４を屈曲可能としたが、開閉片４，４を分離して屈曲に適した接着剤等で連結しても目的を達成することは可能である。
【００１５】
更に、スリット幅Ｗ１，Ｗ２，Ｗ３の幅で切り抜くようにしてあるが、プレス等の金型による成形も可能である。プレス金型による成形の場合は、例えば銅、黄銅、アルミニウム等の比較的柔軟な金属を使用するのが望ましい。
【００１６】
図３は、以上のようにしてなる開閉片付きの座金１をボルト６に挿入する例を示したものであり、開閉片４，４を開いた状態で横（矢印）方向からボルト６に挿入し、ボルト６に螺合された下方のナット７により平座金８を介して支持された取付金具９の上に置いた状態で開閉片４を閉じ、ボルト６に螺合された上方のナット７を締め付けることにより取付金具９はしっかりと固定される。
【００１７】
そして、上記のように横方向からボルト６に挿入装着することにより、座金の装着をうっかり忘れても手間を要することなく行うことができると共に、機械の振動等でナット７が緩んでも、開閉片４が閉じてボルト６の外径部に係合した状態で保持されるので、ボルト６からずれたり、脱落したりしない。
【００１８】
図４は、天井から吊り下げられたボルト６，６に、上記図３のようにして開閉片付きの座金１，１を介在させて取付けられた取付金具９，９によりエアコン１０を取付けた例を示したものである。実際は前方、後方の左右４箇所にボルト６，６，６，６が吊り下げられた状態で、エアコンの底部４箇所を取付金具９，９，９，９で支持した状態となっている。
【００１９】
１台のエアコンの取付けに４本のボルト６，６，６，６が吊り下げられ、各ボルトにナット７が２個、座金２個を使用して取付金具９が取付けられており、多数のエアコンを集合住宅等に設置する場合など座金の装着をうっかり忘れたりすると、従来はボルト６に螺合されたナット７を取り外して行わなければならず、面倒で多大な手間を要していた。又エアコンの駆動する振動によりナット７が緩みやすく、従来挿入穴をＵ字状に切り抜いた座金では脱落しやすく不安定であったが本発明により解消され、更に座金の挿入穴を、ネジを加工したネジ穴にすることで、ナット７が緩んでも座金１のネジ穴がボルト６に係合して座金１で押え付けた状態が保持された。
【産業上の利用可能性】
【００２０】
本発明に係る屈曲可能な開閉片を利用すれば、座金（ワッシャー）のみならずボルト等に挿入してナット等で締め付け固定される色々な金具や支持部材等にも適用されてその効果が発揮される可能性がある。
【図面の簡単な説明】
【００２１】
【図１】本発明に係る開閉片付き座金の実施例を示す平面図である。
【図２】図１のＡ−Ａ拡大断面図で、（ａ）は開閉片が閉じた状態、（ｂ）は開いた状態を示す。
【図３】挿入装着する場合の例を示す側面図である。
【図４】使用例を示す側面図である。
【符号の説明】
【００２２】
１  座金
２  挿入穴
３  スリット溝
４  開閉片
５  挿入ガイド部
６  ボルト
７  ナット
８  平座金
９  取付金具
１０  エアコン
Ｗ１，Ｗ２，Ｗ３  スリット幅
ｔ  厚み
【図１】
2006316831.tif 000003
【図２】
2006316831.tif 000004
【図３】
2006316831.tif 000005
【図４】
2006316831.tif 000006